(57)【要約】      （修正有）【課題】側方からのマッサージ機能を有しない液体式マッサージ装置に対しても、側方からのマッサージ機能が得られるようにする。【解決手段】本体ハウジング１の上方開口が支持シート２により施蓋されると共に、本体ハウジング内に支持シートに向けて下方から噴射用液体を噴射する噴射ノズルが配設された液体式マッサージ装置であり、支持シート２上に載置されるマッサージ具Ｇによって、支持シート上で仰向け姿勢の患者Ｍに対して側方からマッサージを行うことができる。マッサージ具Ｇは、嵌合部による嵌合や固定具を利用して、本体ハウジングに取付ける。マッサージ具は、クッション体１１とクッション体に組み込まれたマッサージ部１２を有する。【選択図】図３
0003207849.tif 000002
【実用新案登録請求の範囲】
【請求項１】
本体ハウジングの上方開口が支持シートにより施蓋されると共に、該本体ハウジング内に該支持シートに向けて下方から噴射用液体を噴射する噴射ノズルが配設された液体式マッサージ装置において、
前記支持シート上に載置され、該支持シート上で仰向け姿勢の患者に対して側方からマッサージを行うためのマッサージ具を備えている、
ことを特徴とする液体式マッサージ装置。
【請求項２】
請求項１において、
前記マッサージ具が、取外し可能とされている、ことを特徴とする液体式マッサージ装置。
【請求項３】
請求項１または請求項２において、
前記マッサージ具が、前記本体ハウジングに対する取付部を有している、ことを特徴とする液体式マッサージ装置。
【請求項４】
請求項３において、
前記マッサージ具における前記取付部が、前記本体ハウジングのうち前記支持シートを取り囲むように配設された縁部に対して上方から嵌合される嵌合部によって構成されている、ことを特徴とする液体式マッサージ装置。
【請求項５】
請求項３において、
前記マッサージ具における前記取付部が、前記本体ハウジングのうち前記支持シートを取り囲むように配設された縁部に対して固定具によって固定されるようにされている、ことを特徴とする液体式マッサージ装置。
【請求項６】
請求項１ないし請求項５のいずれか１項において、
前記マッサージ具は、クッション体と、該クッション体に組み込まれてマッサージ機能を有するマッサージ部と、を有している、ことを特徴とする液体式マッサージ装置。
【請求項７】
請求項６において、
前記マッサージ具は、ベースフレームをさらに有し、
前記クッション体および前記マッサージ部が、前記ベースフレームに一体化されている、
ことを特徴とする液体式マッサージ装置。
【請求項８】
請求項６または請求項７において、
前記本体ハウジングが、前記支持シートを取り囲むように位置される左右一対の長手方向縁部と上下一対の短手方向縁部とを有し、
前記クッション体の形状が、前記左右一対の長手方向縁部と前記短手方向縁部の一方とで囲まれる空間内にがたつきなく嵌合される形状とされている、ことを特徴とする液体式マッサージ装置。
【請求項９】
請求項６ないし請求項８のいずれか１項において、
前記クッション体が、前記支持シート上に仰向け姿勢とされた患者の身体によって押さえつけられる延長部を有している、ことを特徴とする液体式マッサージ装置。
【請求項１０】
請求項１ないし請求項９のいずれか１項において、
前記マッサージ具が、前記支持シート上で仰向け姿勢の患者の肩部付近に配設されて、患者の肩部に対してマッサージを行うようにされている、ことを特徴とする液体式マッサージ装置。
【請求項１１】
請求項１ないし請求項９のいずれか１項において、
前記マッサージ具が、前記支持シート上で仰向け姿勢の患者の足裏付近に配設されて、患者の足裏に対してマッサージを行うようにされている、ことを特徴とする液体式マッサージ装置。
【請求項１２】
請求項１ないし請求項１１のいずれか１項において、
前記マッサージ具が、電動式とされている、ことを特徴とする液体式マッサージ装置。
【請求項１３】
本体ハウジングの上方開口が支持シートにより施蓋されると共に、該本体ハウジング内に該支持シートに向けて下方から噴射用液体を噴射する噴射ノズルが配設された液体式マッサージ装置に用いられるマッサージ具であって、
前記支持シート上に載置可能とされ、前記支持シート上で仰向け姿勢の患者に対して側方からマッサージを行うようにされている、
ことを特徴とする液体式マッサージ装置用のマッサージ具。
【請求項１４】
請求項１３において、
前記本体ハウジングに対する取付部を有している、ことを特徴とする液体式マッサージ装置用のマッサージ具。
【請求項１５】
請求項１４において、
前記取付部が、前記本体ハウジングのうち前記支持シートを取り囲むように配設された縁部に対して上方から嵌合される嵌合部によって構成されている、ことを特徴とする液体式マッサージ装置用のマッサージ具。
【請求項１６】
請求項１３ないし請求項１５のいずれか１項において、
マッサージ機能を有するマッサージ部が、クッション体に組み込まれている、ことを特徴とする液体式マッサージ装置用のマッサージ具。
【請求項１７】
請求項１６において、
前記マッサージ具は、ベースフレームをさらに有し、
前記クッション体および前記マッサージ部が、前記ベースフレームに一体化されている、
ことを特徴とする液体式マッサージ装置用のマッサージ具。
【請求項１８】
請求項１６または請求項１７において、
前記クッション体が、前記支持シート上に仰向け姿勢とされた患者の身体によって押さえつけられる延長部を有している、ことを特徴とする液体式マッサージ装置用のマッサージ具。
【請求項１９】
請求項１３ないし請求項１８のいずれか１項において、
患者の肩部に対するマッサージ用とされている、ことを特徴とする液体式マッサージ装置用のマッサージ具。
【請求項２０】
請求項１３ないし請求項１９のいずれか１項において、
電動式とされている、ことを特徴とする液体式マッサージ装置用のマッサージ具。
【考案の詳細な説明】
【技術分野】
【０００１】
本考案は、液体式マッサージ装置およびそのマッサージ具に関するものである。
【背景技術】
【０００２】
液体式マッサージ装置は、本体ハウジングの上方開口が、患者支承用となる支持シートにより施蓋されて、本体ハウジング内に配設された噴射ノズルから上方に向けて噴射用液体が噴射されるようになっている。
【０００３】
特許文献１には、支持シート上に仰向け姿勢にある患者に対して、側方からマッサージを行うものが開示されている。具体的には、支持シートのうち仰向け姿勢とされた患者の肩部付近を部分的に上方へ膨出させて、この膨出部分の内側（下側）に、側方に向けて噴射用液体を噴射させる横噴射ノズルを設けたものが開示されている。
【先行技術文献】
【特許文献】
【０００４】
【特許文献１】特許第５７５９０４１号公報
【考案の概要】
【考案が解決しようとする課題】
【０００５】
特許文献１に記載のものは、患者の側方からマッサージを行えるという点において極めて好ましい一方、横噴射ノズル等を必要とすることから専用設計とならざるを得ないものである。
【０００６】
本考案は以上のような事情を勘案してなされたもので、その目的は、側方からのマッサージ機能を有しない液体式マッサージ装置に対しても、側方からのマッサージ機能が得られるようにした液体式マッサージ装置およびそのマッサージ具を提供することにある。
【課題を解決するための手段】
【０００７】
前記目的を達成するため、本考案における液体式マッサージ装置にあっては次のような解決手法を採択してある。すなわち、請求項１に記載のように、
本体ハウジングの上方開口が支持シートにより施蓋されると共に、該本体ハウジング内に該支持シートに向けて下方から噴射用液体を噴射する噴射ノズルが配設された液体式マッサージ装置において、
前記支持シート上に載置され、該支持シート上で仰向け姿勢の患者に対して側方からマッサージを行うためのマッサージ具を備えている、
ようにしてある。
【０００８】
上記解決手法によれば、側方からのマッサージ機能を有しない既存の液体式マッサージ装置にあっても、支持シート上に載置されるマッサージ具を利用して、側方からのマッサージ機能を得ることが可能になる。
【０００９】
上記解決手法を前提とした好ましい態様は、請求項２〜請求項１２に記載のとおりである。すなわち、
前記マッサージ具が、取外し可能とされている、ようにしてある（請求項２対応）。この場合、側方からのマッサージが不要なときは、支持シートからマッサージ具を取外して、支持シート上の空間を広く確保する上で好ましいものとなる。
【００１０】
前記マッサージ具が、前記本体ハウジングに対する取付部を有している、ようにしてある（請求項３対応）。この場合、マッサージ具を剛性の優れた本体ハウジングに取付けることにより、マッサージ具によってマッサージを行っている最中に、不用意にマッサージ具が動いてしまう事態を防止する上で好ましいものとなる。
【００１１】
前記マッサージ具における前記取付部が、前記本体ハウジングのうち前記支持シートを取り囲むように配設された縁部に対して上方から嵌合される嵌合部によって構成されている、ようにしてある（請求項４対応）。この場合、マッサージ具の取付け、取外しを容易に行う上で極めて好ましいものとなる。
【００１２】
前記マッサージ具における前記取付部が、前記本体ハウジングのうち前記支持シートを取り囲むように配設された縁部に対して固定具によって固定されるようにされている、ようにしてある（請求項５対応）。この場合、マッサージ具をしっかりと本体ハウジングに固定する上で好ましいものとなる。
【００１３】
前記マッサージ具は、クッション体と、該クッション体に組み込まれてマッサージ機能を有するマッサージ部と、を有している、ようにしてある（請求項６対応）。この場合、患者と接触されやすいマッサージ具において、クッション体による緩衝作用を得る上で好ましいものとなる。
【００１４】
前記マッサージ具は、ベースフレームをさらに有し、
前記クッション体および前記マッサージ部が、前記ベースフレームに一体化されている、
ようにしてある（請求項７対応）。この場合、ベースフレームを利用して、振動されるマッサージ部が常時所定位置に位置するように設定する等の上で好ましいものとなる。
【００１５】
前記本体ハウジングが、前記支持シートを取り囲むように位置される左右一対の長手方向縁部と上下一対の短手方向縁部とを有し、
前記クッション体の形状が、前記左右一対の長手方向縁部と前記短手方向縁部の一方とで囲まれる空間内にがたつきなく嵌合される形状とされている、ようにしてある（請求項８対応）。この場合、クッション体を有効に利用して、マッサージ具が水平方向に移動してしまう事態を防止する上で好ましいものとなる。
【００１６】
前記クッション体が、前記支持シート上に仰向け姿勢とされた患者の身体によって押さえつけられる延長部を有している、ようにしてある（請求項９対応）。この場合、患者の重さを利用して、マッサージ具が不用意に水平方向に移動してしまう事態を防止することができる。
【００１７】
前記マッサージ具が、前記支持シート上で仰向け姿勢の患者の肩部付近に配設されて、患者の肩部に対してマッサージを行うようにされている、ようにしてある（請求項１０対応）。この場合、患者の多くがかかえる肩こりを解消する上で好ましいものとなる。
【００１８】
前記マッサージ具が、前記支持シート上で仰向け姿勢の患者の足裏付近に配設されて、患者の足裏に対してマッサージを行うようにされている、ようにしてある（請求項１１対応）。この場合、疲れやすい足裏をマッサージすることができる。
【００１９】
前記マッサージ具が、電動式とされている、ようにしてある（請求項１２対応）。この場合、マッサージ具の小型化や配設の容易化等の上で好ましいものとなる。
【００２０】
前記目的を達成するため、本発明における液体式マッサージ装置用のマッサージ具にあっては次のような解決手法を採択してある。すなわち、請求項１３に記載のように、
本体ハウジングの上方開口が支持シートにより施蓋されると共に、該本体ハウジング内に該支持シートに向けて下方から噴射用液体を噴射する噴射ノズルが配設された液体式マッサージ装置に用いられるマッサージ具であって、
前記支持シート上に載置可能とされ、前記支持シート上で仰向け姿勢の患者に対して側方からマッサージを行うようにされている、
ようにしてある。上記解決手法によれば、請求項１に対応した液体式マッサージ装置を提供することができる。
【００２１】
上記解決手法を前提とした好ましい態様は、請求項１４以下に記載のとおりである。すなわち、
前記本体ハウジングに対する取付部を有している、ようにしてある（請求項１４対応）。この場合、請求項３に対応した液体式マッサージ装置を提供することができる。
【００２２】
前記取付部が、前記本体ハウジングのうち前記支持シートを取り囲むように配設された縁部に対して上方から嵌合される嵌合部によって構成されている、ようにしてある（請求項１５対応）。この場合、請求項４に対応した液体式マッサージ装置用のマッサージ具。
【００２３】
マッサージ機能を有するマッサージ部が、クッション体に組み込まれている、ようにしてある（請求項１６対応）。この場合、請求項６に対応した液体式マッサージ装置を提供することができる。
【００２４】
前記マッサージ具は、ベースフレームをさらに有し、
前記クッション体および前記マッサージ部が、前記ベースフレームに一体化されている、
ようにしてある（請求項１７対応）。この場合、請求項７に対応した液体式マッサージ装置を提供することができる。
【００２５】
前記クッション体が、前記支持シート上に仰向け姿勢とされた患者の身体によって押さえつけられる延長部を有している、ようにしてある（請求項１８対応）。この場合、請求項９に対応した液体式マッサージ装置を提供することができる。
【００２６】
患者の肩部に対するマッサージ用とされている、ようにしてある（請求項１９対応）。この場合、請求項１０に対応した液体式マッサージ装置を提供することができる。
【００２７】
電動式とされている、ようにしてある（請求項２０対応）。この場合、請求項１２に対応した液体式マッサージ装置を提供することができる。
【考案の効果】
【００２８】
本考案によれば、側方からのマッサージ機能を有しない液体式マッサージ装置に対しても、側方からのマッサージ機能を得ることができる。
【図面の簡単な説明】
【００２９】
【図１】液体式マッサージ装置の一例を示す側面図。
【図２】図１を右方から見たときの図。
【図３】図１、図２に示す液体式マッサージ装置において、患者が仰向け姿勢で支承されている状態を示すと共にマッサージ具を配設した状態を示す平面図。
【図４】図３に示すマッサージ具を示す平面図。
【図５】図４に示すマッサージ具の拡大斜視図。
【図６】図４に示すマッサージ具を左方から見た拡大図。
【図７】図４のＸ７−Ｘ７線相当での拡大断面図。
【図８】本考案の第２の実施形態を示すもので、図３に対応した平面図。
【図９】図８に示すマッサージ具の平面図。
【図１０】図９のＸ１０−Ｘ１０線相当拡大断面図。
【図１１】本考案の第３の実施形態を示すもので、図９に対応した平面図。
【図１２】図１１に示すマッサージ具を右方から見た拡大図。
【考案を実施するための形態】
【００３０】
図１〜図３において、１は本体ハウジングで上方が開口された浴槽構造となっている。本体ハウジング１の上方開口が、弾性シートからなる支持シート２によって施蓋されている。本体ハウジング１内には、噴射用液体が貯溜されると共に、上方へ向けて噴射用液体を噴射する噴射ノズル（図示略）が配設されている。これにより、図３に示すように、支持シート２上に患者Ｍが仰向け姿勢で支承された状態で、噴射ノズルから噴射用液体を噴射させることにより、患者Ｍのマッサージが行われる。
【００３１】
本体ハウジング１は、左右一対の長手方向縁部１ａと、上下一対の短手方向縁部１ｂ、１ｃとを有する。短手方向縁部１ｂは患者Ｍの頭部側であり、短手方向縁部１ｃは患者Ｍの足先側である。各縁部１ａ〜１ｃは、支持シート２よりも若干高くなっている。
【００３２】
本考案においては、図４に示すようなマッサージ具Ｇが、支持シート２上に載置して使用される。マッサージ具Ｇを支持シート２上に載置した状態が、図３に示される。図３、図４に示すマッサージ具Ｇは、患者Ｍの肩部に対するマッサージ用とされている。また、マッサージ具Ｇの詳細が、図５〜図７にも示される。
【００３３】
マッサージ具Ｇは、互いに一体化されたクッション体１１とマッサージ部１２とを有する。マッサージ部１２の位置関係を示すために、マッサージ部１２に相当する部分を、図３〜図７においてダブルハッチングを付して示してある。
【００３４】
上記クッション体１１は、例えば発泡ウレタン等の弾性部材により形成されて、患者Ｍの頭部が位置される（収納される）凹部１１ａを有する。クッション体１１は、凹部１１ａの底部に位置するように、患者Ｍの頭部を支承する薄い枕シート部１１ｂを有している。
【００３５】
クッション体１１の外周形状は、長手方向縁部１ａに沿う左右一対の横側面部１１ｃと、短手方向縁部１ｂに沿う縦側面図１１ｄと、を有するようにされている。そして、マッサージ具Ｇを図３に示すように配設した状態では、左右一対の縁部１１ａと縁部１１ｂとで囲まれる空間内にがたつきなく嵌合される形状とされている。すなわち、マッサージ具Ｇは、別途固定具によって本体ハウジング１等に固定することなく、図３に示す使用状態が維持されるようになっている。また、枕シート部１１ｂには、患者Ｍの頭部の重量が作用することから、マッサージ具Ｇの不用意な動きがより一層防止される。
【００３６】
マッサージ部１２は、左右一対設けられて、患者Ｍに対して側方からマッサージを行う機能を有している。すなわち、マッサージ具Ｇを図３に示すように配設した状態で、マッサージ部１２が患者Ｍの左右の肩部直近に位置される。マッサージ部１２は、マッサージ機能を付与できるものであれば適宜の形式のものを採択できる。例えば、マッサージ機構として、機械式となる往復あるいは回転するローラでもってマッサージを行う形式（もみやさすりのマッサージに好適）、患者Ｍの肩部に向けて往復動されるピストン式（たたきのマッサージに好適）、さらには液圧（水圧、油圧）を付与する液圧式等、適宜のものを採択できる。
【００３７】
マッサージ部１２は、マッサージのための物理的な刺激を与えるための駆動源となるアクチュエータを有している。すなわち、上述したローラやピストンを駆動するアクチュエータ、あるいは液圧発生のためのアクチュエータを有する。このアクチュエータは、構造の簡単化や小型化、さらにはコストの観点から、電動式（のモータ）とするのが好ましい。なお、マッサージ部１２を液圧式とする場合は、噴射用液体を貯溜する貯溜室を構成して（クッション体内に延長するように構成することもできる）、この貯溜室を区画する壁の一部を患者Ｍの肩部に臨む弾性シートでもって構成し、貯溜室内に配設したポンプ（電動式ポンプとするのが好ましい）によって、貯溜室内の噴射用液体を弾性シートに向けて噴射するようにすればよい。
【００３８】
マッサージ具Ｇは、適宜、支持シート２（つまり液体式マッサージ装置）から離脱させることができる。換言すれば、マッサージ具Ｇは、側方からのマッサージ機能を有しない既存の液体式マッサージ装置に対して、後付け式でもって使用することができる。また、マッサージ具Ｇを必要としないときは、支持シート２上から除去しておくことができる。
【００３９】
図８〜図１０は、本考案の第２の実施形態を示すものであり、前記実施形態と同一構成要素には同一符号を付してある。
【００４０】
本実施形態におけるマッサージ具Ｇ２（マッサージ具Ｇに対応）は、脚部に対するマッサージ用、より具体的には足裏に対するマッサージ用とされている。このマッサージ具Ｇ２においては、クッション体２１（クッション体１１に対応）とマッサージ部２２（マッサージ部１２対応）の他、図１０に示すようにベースフレーム２３を有する。
【００４１】
ベースフレーム２３は、アルミニウム合金や鉄系金属あるいは硬質合成樹脂等によって、剛性の高いものとされている。ベースフレーム２３は、マッサージ具Ｇ２の底面近くで水平に延びる底面部２３ａと、底面部２３ａの左右端部から上方へ立ち上がる左右一対の縦壁部２３ｂを有する。そして、縦壁部２３ｂの上端部から、マッサージ具Ｇ２の外部へ水平に延びる外部延長部２３ｃが形成されている。この外部延長部２３ｃは、本体ハウジング１への取付部となるもので、ボルト等の固定具２４によって、本体ハウジング１の縁部１ａに固定される。なお、固定具２４は、別途回転工具等を用いることなく、指先で回転操作できる形式のものを利用するのが好ましい（マッサージ具Ｇ２の本体ハウジング１からの取付、取外しの容易化）。
【００４２】
クッション体２１は、ベースフレーム２３を、その外部延長部２３ｃを除いて外部から目視できないように覆っている。そして、クッション体２１は、本体ハウジング１における左右一対の縁部１ａと縁部１ｃとによって囲まれる空間にがたつきなく嵌合される形状とされている。
【００４３】
図１１、図１２は、本考案の第３の実施形態を示すものである。本実施形態におけるマッサージ具Ｇ３は、基本的にマッサージ具Ｇ２と同様な構造とされて、本体ハウジング１への取付部の構造のみが相違している。すなわち、本実施形態では、複数（実施形態では３個）の取付部としての嵌合部３１を有する。この嵌合部３１は、図１０に示すベースフレーム２３の外部延長部２３ｃの先端部を下方へ９０度折曲させた構造とされて、下方に向けて開口された形状とされている。
【００４４】
上記嵌合部３１は、マッサージ具Ｇ３の左右側と後側とに設けられている。そして、嵌合部３１の下方への開口幅は、本体ハウジング１の縁部１ａや１ｃの幅とほぼ同程度（がたつきな嵌合される幅）に設定されている。マッサージ具Ｇ３を図８に示すように配設したときに、嵌合部３１が、本体ハウジング１の左右の縁部１ａと縁部１ｃとの３箇所に対して上方から嵌合される。この嵌合により、マッサージ具Ｇ３の水平方向の移動が確実に規制される。
【００４５】
マッサージ具Ｇ３は、嵌合部３１が上方から本体ハウジング１の縁部１ａ、１ｃに嵌合されるように、支持シート２上に載置するだけで、その取付けが完了される。また、マッサージ具Ｇ３を上方へ持ち上げるだけで、その取外しを簡単に行うことができる。
【００４６】
以上実施形態について説明したが、本考案は、実施形態に限定されるものではなく、特許請求の範囲の記載された範囲において適宜の変更が可能である。マッサージ具は、液圧式（油圧式や水圧式）とすることもできるが、この場合、液圧の発生源を本体ハウジング１近傍の床面に設置する一方、マッサージ部１２（２２）を支持シート２上に載置しておくこともできる。マッサージ具は、側方からマッサージできる機能があれば十分で、クッション体１１（２１）を有しないものであってもよい。クッション体の下端部から外方へ延長する薄い延長部を形成して、この延長部上に、支持シート２上で仰向け姿勢の患者Ｍの身体部位が載置されるようにして（患者Ｍによって上方から押さえつけられるようにして）、マッサージ具が不用意に水平方向に移動してしまう事態を防止する上で好ましいものとなる。マッサージ具Ｇ（Ｇ２、Ｇ３）は、患者Ｍの腰部、脚部（ふくらはぎ部や太股部）等、適宜の部位に対するマッサージ用とすることができる。勿論、本考案の目的は、明記されたものに限らず、実質的に好ましいあるいは利点として表現されたものを提供することをも暗黙的に含むものである。
【産業上の利用可能性】
【００４７】
本考案は、既存の液体式マッサージ装置に対しても側方からマッサージできるようにする上で好適である。
【符号の説明】
【００４８】
Ｍ：患者
１：本体ハウジング
１ａ・縁部（長手方向）
１ｂ：縁部（短手方向で、頭部側）
１ｃ：縁部（短手方向で、足先側）
２：支持シート
Ｇ：マッサージ具（図３〜図７）
１１：クッション体
１１ｂ：枕シート部（延長部）
１２：マッサージ部
Ｇ２：マッサージ具（図８〜図１０）
２１：クッション体
２２：マッサージ部
２３：ベースフレーム
２３ｃ：外部延長部（本体ハウジングへの取付部）
２４：固定具：
Ｇ３：マッサージ具（図１１、図１２）
３１：嵌合部（本体ハウジングへの取付部）
【図１】
0003207849.tif 000003
【図２】
0003207849.tif 000004
【図３】
0003207849.tif 000005
【図４】
0003207849.tif 000006
【図５】
0003207849.tif 000007
【図６】
0003207849.tif 000008
【図７】
0003207849.tif 000009
【図８】
0003207849.tif 000010
【図９】
0003207849.tif 000011
【図１０】
0003207849.tif 000012
【図１１】
0003207849.tif 000013
【図１２】
0003207849.tif 000014